(57)【要約】【課題】  本発明は、受け口部の管径が大きくならず、しかも耐火性、水密性、耐震性に優れた耐火二層管継手を提供する。【解決手段】  本発明の耐火二層管継手１は、受け口３を有する内管２と、受け口３の面上に配置された止水リング４と、この止水リング４の上面から外周面、さらには受け口３の内管外周面を覆うキャップ５と、このキャップ５の外周面とこれに続く内管２の外周面を覆う外管６とから構成されている。【選択図】  図１
2006329329.tif 000002
【特許請求の範囲】
【請求項１】
管継手であって、受け口を有する内管と、該受け口面に配置された止水リングと、該止水リングの上面から外周面、さらには前記受け口の内管外周面を覆うキャップと、該キャップの外周面とこれに続く内管の外周面を覆う外管とからなることを特徴とする耐火二層管継手。
【請求項２】
止水リングの外周面の周方向に、環状の突出部が形成されてなる請求項１に記載の耐火二層管継手。
【請求項３】
キャップの内周面に、内管の受け口面に係着できる段部を設けてなる請求項１または２に記載の耐火二層管継手。
【請求項４】
キャップの内周面にテーパーを設けてなる請求項１ないし請求項３に記載の耐火二層管継手。
【発明の詳細な説明】
【技術分野】
【０００１】
本発明は、耐火性、水密性、耐震性に優れた耐火二層管継手に関するものである。
【背景技術】
【０００２】
近年、アパート、マンション等の集合住宅やオフィスビル等の配管設備に多用されている合成樹脂製管継手は、防火対策上、耐火性のあるものが求められている。
このような耐火性の管継手として、図４に示すような、合成樹脂製管継手を内管２２とし、その外周面に不燃材をモルタルで固めて成形した外管２６を配置した二層管継手が知られている。
この従来の二層管継手は、内管２２の受け口の内周面に設けられた周凹溝２０に止水リング２４が装着された構成である。しかし、前記周凹溝２０は、対応する内管２２の受け口の外周面を環状に膨出させ、その分、受け口部の管径を大きくするという難点がある。
【０００３】
耐火二層管の適用対象となる集合住宅等の配管設備では、上下階を結ぶために鉄筋コンクリート製床に設ける配管用の貫通孔は、前記床中に張巡らされた鉄筋により配設位置が制約されること、また施工後の埋め戻しの手間がかかることを考慮し、さらには床面の強度性や遮音性を保持するためにも出来るだけ小径であることが望まれ、これに伴い二層管継手も受け口部がより小径のものが求められている。
【０００４】
そこで、前記従来の二層管継手よりも受け口部の管径を小さくできる耐火二層管が提案されている。（特許文献１参照）
この二層管継手は、受け口部の開口周縁部にシール材を装着し、このシール材の周縁部から外管の先端外周面までを、ステンレス板等で成形した耐火カバーで覆い、この耐火カバーの円筒部を受け口部の外管にネジ材により固定した構成である。
【特許文献１】特開２００４−１５０６２１号公報
【発明の開示】
【発明が解決しようとする課題】
【０００５】
しかし、上記耐火カバーは、シール材の周縁部から外管の先端外周面までを覆うため、外熱が耐火カバーを伝わって直接内管やシール材に達し易く、さらに、耐熱カバーはネジ材により外管に固定した構成であるため、水密性に欠けるという難点がある。
【０００６】
本発明の課題は、内管の受け口の外周面を環状に膨出させることなく、耐火性、水密性、耐震性に優れた耐火二層管継手を提供することにある。
【課題を解決するための手段】
【０００７】
上記課題を解決するため、本発明の耐火二層管継手は、受け口を有する内管と、該受け口面に配置された止水リングと、該止水リングの上面から外周面さらには前記受け口の内管外周面を覆うキャップと、該キャップの外周面とこれに続く内管の外周面を覆う外管とで構成されている。
止水リングは、その外周面の周方向に、環状の突出部を形成するとよい。
前記キャップは、その内周面に内管の受け口面に係着できる段部を設けてもよく、また、その内周面にテーパーを設けるようにしてもよい。
【発明の効果】
【０００８】
本発明の耐火二層管継手によれば、従来の二層管継手に比べて、受け口部の管径を小さくできるため施工性が良く、また耐火性、水密性、耐震性に優れた耐火二層管継手を提供することができる。
【発明を実施するための最良の形態】
【０００９】
本発明の耐火二層管継手は、止水リングを内管の受け口面に配置し、上記止水リングを覆うキャップを内管の外周面に接合一体化して、受け口部の管径を、従来の二層管継手よりも小さくしたこと、また、止水リングと内管およびキャップをモルタル等からなる不燃耐熱性の外管で覆うことによって、外熱からの遮断性を高め、管継手全体としての耐熱性を向上させたことに特徴がある。
【００１０】
以下、本発明の実施の形態を、添付図面に基づいて説明する。
図１は、本発明の耐火二層管継手の一例を示す部分断面図であり、図２は、図１に示す本発明の耐火二層管継手の部分拡大断面図である。図３は、本発明の耐火二層管継手の構成をなすキャップと止水リングの他の例を示す部分拡大断面図である。
【００１１】
図１において、本発明の耐火二層管継手１は、内管２とこの内管２の受け口３の面上に配置された止水リング４と、この止水リング４を覆うキャップ５と、外管６とで構成されている。
キャップ５は、止水リング４の上面から外周面、さらには内管２の受け口３の外周面を覆うように形成されており、外管６は、キャップ５の外周面とこれに続く内管２の外周面を覆うように形成されている。
【００１２】
内管２は、従来の二層管継手のものと異なり、内管の受け口３の内周面に止水リング４を収納するための周凹溝が形成されていないため、受け口３の外周面に膨出部は存在しない。
本発明の内管は、従来の合成樹脂管と同様、硬質ポリ塩化ビニル、アクリル、ＡＢＳ等の合成樹脂で形成される。
【００１３】
止水リング４は、図２に示すように、その基部７の下面が、内管２の受け口面８上に配置され、基部７の上面及び外周面がキャップ５によって覆われている。また、基部７の受け口３側には、突出先端部９が形成され、受け口３に嵌入される他管（接続管）の外周面に弾性を有して密接し、継手部分の水密性が保持できるようになっている。
【００１４】
止水リング４は、図３に示すように、基部７の外周面に環状の突出部１０を設けるようにしても良く、これにより止水リング４の内管の径方向の弾力性が増大し、受け口３に嵌入された他管（接続管）との間で水密性、耐震性が一層向上する。
本発明に係る止水リングは、ＮＢＲ、ＳＢＲ(スチレン・ブタジエンゴム)、ＥＰＤＭ(エチレンプロピレンゴム)、シリコーンゴム等のゴム系材料及び塩化ビニル樹脂、ＥＶＡ(エチレン−酢酸ビニル共重合体)等の弾性を有する合成樹脂等の可撓性材料で形成されている。
【００１５】
キャップ５は、端断面が略Ｌ字状の筒状体であって、上部開口周縁端から中心に向けて鍔状の張出辺１１を有し、この張出辺１１と内管２の受け口面８との間に、止水リング４の基部７が嵌入できる間隙をあけ、キャップ５の内周面を内管２の外周面に接合して、内管２に取り付けられる。
【００１６】
このキャップは、図３に示すように、キャップの内周面に内管２の受け口面８に係着できる段部１２を設け、張出辺１１と受け口面８との間に、止水リング４の基部７を嵌入し得るに最適な間隙を保持できるようにしてもよい。
また、キャップの内周面にテーパーを設けて接着剤が入り易いようにし、キャップ５と内管２の接着強度を上げるようにしてもよい。
キャップ５は、内管と同様、硬質ポリ塩化ビニル、アクリル、ＡＢＳ等の合成樹脂で形成される。
【００１７】
なお、図３では、止水リング４に突出部１０を設けたもの、キャップ５に段部１２を設けたもの、を組み合わせた例を示したが、この組み合わせに限定されるものではなく、突出部１０を設けた止水リングと段部を設けないカバー材との組合せ、また突出部を設けない止水リングと段部を設けたカバー材との組合せ、等として本発明の耐火二層管継手に使用してもよい。
【００１８】
外管６は、合成樹脂製管の表面に無機質系モルタル等で形成され不燃層が設けられた管体である。外管６の上端は、カバー材の張出辺１１の外側面と面一にすることを原則とする。
本発明の耐火二層管継手は、図１に示すように、キャップ５の内周面を内管２の外周面に接着固定し、キャップ５と内管２の受け口面８との間隙に止水リング４を配置した状態で、外管６ａを、キャップ５とこれに続く受け口３に対応する内管２に被せて、接着剤を用いて接合一体化して形成する。
ここで用いられる接着剤として、塩化ビニル樹脂系、エポキシ樹脂系、アクリル樹脂系などが挙げられる。
【００１９】
配管施工現場では、本発明の耐火二層管継手は、外管６ａを固定した後、所望の長さで切断した内管２の端部から、外管６ｂを受け口部に向けて徐々に被せるようにして取付ける。
【００２０】
本発明の耐火二層管継手は、内管の受け口の面上に止水リングが、配置されているため、従来の二層管継手よりも受け口部の管径を小さくすることができる。
また、止水リングを覆うキャップは、内管と同様の合成樹脂製であるため内管に接合一体化させた際の接合強度が大きく、管継手の水密性が高い。
さらに、止水リングとこれを覆うキャップ、さらにはこのキャップと接合一体化される内管は、いずれも不燃耐熱性の外管で覆われているため、外熱からの遮断性が高く、管継手自体の耐熱性が高い。
【産業上の利用可能性】
【００２１】
本発明の耐火二層管継手は、排水管等の配管設備に利用可能である。
【図面の簡単な説明】
【００２２】
【図１】本発明の耐火二層管継手の一例を示す部分断面図である。
【図２】図１に示す本発明の耐火二層管継手の部分拡大断面図である。
【図３】本発明の耐火二層管継手の構成をなすキャップと止水リングの他の例を示す部分拡大断面図である。
【図４】従来の二層管継手の例を示す部分断面図である。
【符号の説明】
【００２３】
１  本発明の耐火二層管継手
２、２２  内管
３  受け口
４、２４  止水リング
５  キャップ
６、６ａ、６ｂ、２６  外管
７  止水リングの基部
８  内管の受け口面
９  止水リングの突出先端部
１０  環状の突出部
１１  キャップの張出辺
１２  キャップの段部
２０  周凹溝
【図１】
2006329329.tif 000003
【図２】
2006329329.tif 000004
【図３】
2006329329.tif 000005
【図４】
2006329329.tif 000006